(57)【要約】チューナ、マイクロプロセッサ、通信バス、および電気的にプログラム可能な読出し専用メモリ、例えば、電気的消去・プログラム可能な読出し専用メモリ（ＥＥＰＲＯＭ）、を具えるテレビジョン受信機。メモリはチューナ用のパラメータを含むようにプログラムされる。チューナと適合するようにメモリをプログラムすることができ、製造現場で、チューナとメモリが内蔵されるテレビジョンのシャーシに適合したメモリが各メーカーからのチューナに供給される。チューナ・パラメータはマイクロプロセッサによって読み出され、従来の方法でチューナの同調を容易にするために使用される。
2004507911.tif 000002
【特許請求の範囲】
【請求項１】
チューナ（１０４）と、
マイクロプロセッサ（１０８）と、
前記マイクロプロセッサ（１０８）の外部に位置し、前記マイクロプロセッサ（１０８）に結合され、チューナ・パラメータ（１１２）を記憶する、書替え可能なメモリ（２０２）と、
前記マイクロプロセッサ（１０８）を前記チューナ（１０４）に接続する通信バス（１１４）とを具え、テレビジョン・チャンネル選択の間、少なくとも１つのチューナ・パラメータが前記書替え可能なメモリ（２０２）から前記チューナ（１０４）に転送される、テレビジョン受信機。
【請求項２】
前記書替え可能なメモリ（２０２）がプログラム可能な読出し専用メモリを含む、請求項１記載のテレビジョン受信機。
【請求項３】
前記プログラム可能な読出し専用メモリ（２０２）が電気的に消去・プログラム可能な読出し専用メモリを含む、請求項２記載のテレビジョン受信機。
【請求項４】
前記書替え可能メモリ（２０２）が取外しのできる、請求項１記載のテレビジョン受信機。
【請求項５】
前記チューナ・パラメータ（１１２）が前記チューナ（１０４）と適合する、請求項１記載のテレビジョン受信機。
【請求項６】
前記チューナ（１０４）が位相ロックループ（１０６）を含み、前記チューナ・パラメータ（１１２）が位相ロックループ制御データを含む、請求項１記載のテレビジョン受信機。
【請求項７】
前記制御データが信号帯域切替え情報を含む、請求項６記載のテレビジョン受信機。
【請求項８】
同調手段（１０４）と、
制御手段（１０８）と、
前記制御手段（１０８）の外部に位置して前記制御手段（１０８）に結合され、同調パラメータ（１１２）を記憶するメモリ手段（２０２）と、
前記制御手段（１０８）を前記同調手段（１０４）に接続する通信路（１１４）とを具え、テレビジョン・チャンネル選択の間、少なくとも１つの同調パラメータが前記メモリ手段（２０２）から前記同調手段（１０４）に転送される、テレビジョン受信機。
【請求項９】
前記メモリ手段（２０２）がプログラム可能読出し専用メモリを含む、請求項８記載のテレビジョン受信機。
【請求項１０】
前記プログラム可能読出し専用メモリ（２０２）が電気的消去・プログラム可能読出し専用メモリを含む、請求項９記載のテレビジョン受信機。
【請求項１１】
前記メモリ手段（２０２）が取外しのできる、請求項８記載のテレビジョン受信機。
【請求項１２】
前記同調パラメータ（１１２）が前記同調手段（１０４）と適合する、請求項８記載のテレビジョン受信機。
【請求項１３】
前記同調手段（１０４）が位相ロックループ（１０６）を含み、前記同調パラメータ（１１２）が位相ロックループ制御データを含む、請求項８記載のテレビジョン受信機。
【請求項１４】
前記制御データが信号帯域切替え情報を含む、請求項１３記載のテレビジョン受信機。
【発明の詳細な説明】
【０００１】
（産業上の利用分野）
本発明は、一般に、テレビジョン受信機に関し、特に、テレビジョン受信機に使用されるチューナに関するものである。本文中の「テレビジョン受信機」には、ディスプレイ（表示装置）を有するか否かにかかわらず、すべてのテレビジョン信号受信機が含まれる。
【０００２】
（発明の背景）
テレビジョンのチューナ（ｔｕｎｅｒ）は、テレビジョン・セット、ビデオカセット・レコーダ、家庭用娯楽システムなどのようなテレビジョン受信機に使用される。チューナは、個別のチューナ・モジュールとして、あるいはシャーシ（筐体、ｃｈａｓｓｉｓ）の中に組み込まれたオンボード（ｏｎ‐ｂｏａｒｄ）チューナ回路として実施される。個別のチューナ・モジュールおよびオンボード・チューナ回路は、何れもしばしばテレビジョン信号の受信を容易にする位相（フェーズ）ロックループ（Ｐｈａｓｅ　Ｌｏｃｋ　Ｌｏｏｐ：ＰＬＬ）回路を具える。
【０００３】
図１は、テレビジョン受信機に一般に見られる従来技術のテレビジョン・シャーシ（ｃｈａｓｓｉｓ）１００の一部を示す。テレビジョン・シャーシ１００は、位相ロックループ（ＰＬＬ）１０６を有するチューナ１０４、およびオンチップ（ｏｎ‐ｃｈｉｐ）メモリ１１０を有するマイクロプロセッサ１０８を具える。チューナ１０４は、通信バス（ｂｕｓ）１１４、例えば、Ｉ２Ｃ（Ｉｎｔｅｒ−Ｉｎｔｅｇｒａｔｅｄ　Ｃｉｒｕｉｃｔ）バス、を介してマイクロプロセッサ１０８に結合される。テレビジョン・シャーシ１００の入力ポート１０２は、アンテナ、ケーブル給電線（ｃａｂｌｅ　ｆｅｅｄ）などに結合される。二重変換チューナも使用されるが、一般に、チューナは単一変換チューナである。テレビジョン受信機で受信するチャンネルの選択は、受信する特定のチャンネルに同調するように、チューナ１０４と位相ロックループ１０６に指令するマイクロプロセッサ１０８によって行われる。一般に、位相ロックループ１０６の制御に使用されるチューナ・パラメータ１１２は、オンチップ・メモリ１１０内に記憶される。すなわち、チューナのパラメータはマイクロプロセッサ内に埋め込まれたメモリ内に「ハードコード化」（ｈａｒｄ　ｃｏｄｅｄ）されている。従って、もしチューナ１０４がモジュールとしてシャーシとは別個に製造されると、すべてのチューナ・モジュールに対し同じチューナ・パラメータがハードコード化された状態でオンチップ・メモリ内に記憶されるようにするために、異なるチューナ間でチューナの機能をよく適合させなければならない。
【０００４】
チューナの電子的制御は、特定のチューナについての制御データ（本文中では、チューナ・パラメータとも呼ばれる）がマイクロプロセッサ１０８内の不揮発性メモリ（オンチップ・メモリ１１０）内に記憶されるプロセスである。ユーザが希望するチャンネルを選択すると、テレビジョン受信機シャーシ１００内にあるマイクロプロセッサ１０８は、希望するチャンネルに対し不揮発性メモリ１１０内に記憶された制御データを識別（参照）する。次に、制御データはチューナ１０４に転送される。
【０００５】
チューナの製造者はチューナの設計に種々の位相ロックループ（ＰＬＬ）集積回路（ＩＣ）を使用する。このＰＬＬのＩＣはチューナの動作周波数を調節し、希望するチャンネルをテレビジョン受信機に受信させる。カバー（ｃｏｖｅｒ）しようとする周波数の範囲は７００ＭＨｚ以上に亘るので、ＰＬＬはこの周波数範囲を都合のよい部分に分ける（一般に３または４分割する）ことにより広帯域の同調を達成する。これらの部分は、ＶＨＦロー（ｌｏｗ）、ＶＨＦハイ（ｈｉｇｈ）、ＵＨＦなどの周波数帯として知られている。
【０００６】
カバーされる周波数範囲の分割は任意に決められ、チューナの設計により異なる。チューナにおける各帯域に関するこの周波数範囲の情報は、不揮発性メモリ１１０内に記憶されている制御データの一部を形成する。
【０００７】
記憶された制御データには、希望する周波数とその特定のＰＬＬ・ＩＣの動作モードを合成するようＰＬＬに指令する命令も含まれる。制御データは選択されたチャンネルについてＰＬＬを制御すると共に、チューナ内部にある種々のスイッチ回路（ＶＨＦロー、ＶＨＦハイ、およびＵＨＦ帯の選択など）を制御する。
【０００８】
電子的制御は設計要件を軽減するが、テレビジョン受信機の構成部品間の互換性を狭める。マイクロプロセッサ１０８は、制御データを選択してオンチップ・メモリ１１０からチューナ１０４に転送するために特定のルーチンを含まねばならない。チューナ１０４は、そのデータを受け入れてミスマッチ（不適合）を補償するように動作しなければならない。従って、現場での不調なチューナの取替えには、特定のマイクロプロセッサと特定の一組のチューナ・パラメータによる制御に適合した新しいテレビジョン・チューナを見出すことが要求される。
【０００９】
テレビジョン・シャーシ内でチューナ・モジュールが個別に使用され、それらのモジュールが種々異なるメーカーにより製造されると、オンチップ・メモリ内に記憶されるチューナ・パラメータは各チューナ毎に異なる。従って、オンチップ・メモリは、異なるメーカーから供給される各チューナ毎に異なるデータで特別にプログラムされなければならない。オンチップ・メモリの記憶容量はサイズが限られているので、シャーシに使用できるすべてのタイプのチューナについてチューナ・パラメータを記憶することは現実的でない。従って、或る特定のチューナに対する一組（セット）のパラメータがオンチップ・メモリ１１０内に記憶される。従って、マイクロプロセッサ１０８を取り替えなければ、故障チューナを取り替えることはできない。
【００１０】
従って、当技術分野では、テレビジョン・シャーシの内部にチューナ・パラメータを柔軟（フレキシブル）に記憶する方法並びに装置が必要である。
【００１１】
（発明の概要）
本発明は、チューナと、マイクロプロセサと、通信バスと、そして交換可能な不揮発性メモリ、例えば、電気的消去・プログラム可能な読出し専用メモリ（ＥＥＰＲＯＭ）とを具えるテレビジョンのシャーシである。交換可能な不揮発性のメモリは、シャーシの製造時にチューナ制御パラメータを含むようにプログラムされ、チューナのタイプの変更に素早く適応できる。メモリをチューナ用にプログラムすることができ、製造現場で、チューナが内蔵されるシャーシにマッチ（ｍａｔｃｈ：適合）する制御パラメータが各メーカーからのチューナに供給される。ひとたびテレビジョン受信機が組み立てられると、チューナ・パラメータはマイクロプロセッサによって読み出され、従来の方法でチューナおよび位相ロックループの電子的制御を容易にするために使用される。本発明は、チューナ・パラメータを記憶するために、プログラム可能メモリを別個に使用しており、同時に、シャーシ内で使用される各タイプのチューナ・モジュール毎にマイクロプロセッサ内のオンチップ・メモリをプログラムすることを避けている。
【００１２】
本発明の前述した特徴が達成され且つ詳細に理解されるようにするために、添付されている図面に示されている実施例を参照することにより、簡潔に要約した本発明の更に詳細な説明が得られる。
【００１３】
添付した図面は本発明の代表的な実施例を示しているに過ぎず、従って、本発明の範囲がこれだけに制限されるものではなく、他の等しく効果的な実施例も受け入れられる。
【００１４】
理解を容易にするために、できるだけ同じ参照符号を使用して各図面に共通する同じ構成要素を示している。
【００１５】
以下に述べる説明を考慮した後、当業者は本発明の教示がテレビジョン受信機に容易に利用できることを明確に実感するであろう。本開示に含まれるテレビジョン・チューナには、チューナの同調を容易にするためにマイクロプロセッサと連係して、書替え可能なメモリが使用されている。書替え可能メモリは、チューナ内部にある位相ロックループ用のチューナ制御パラメータを記憶する。
【００１６】
（発明の実施の形態）
図２は、本発明によるテレビジョン・シャーシ（筐体）２００の１つの実施例のブロック図である。シャーシ２００は、ＲＦ信号（例えば、テレビジョン信号）を受信する入力ポート１０２、位相ロックループ（ＰＬＬ）１０６を有するチューナ１０４、オンチップ（ｏｎ‐ｃｈｉｐ）メモリ１１０を有するマイクロプロセッサ１０８、およびチューナ・パラメータ１１２を記憶する書替え可能なメモリ２０２を具える。チューナ１０４は通信バス１１４を通して、マイクロプロセッサ１０８とメモリ２０２から成るチューナ制御システム２０４に結合される。チューナは、ポート１０２を介してテレビジョン信号を受信する。一般に、ポート１０２は、ケーブル、ディジタル・ビデオディスク、ビデオカセット・レコーダ、その他のテレビジョン信号源に接続される。
【００１７】
チューナ・モジュール１０４は、ＲＦ信号源より得られる周波数帯域内に位置する複数のチャンネルから選択される希望のテレビジョン・チャンネルに対応するＲＦ信号を選択する。テレビジョン・チャンネルに関連するＲＦ信号は、アナログおよび／またはディジタルのテレビジョン信号である。アナログ・テレビジョン信号は米国内での従来のＮＴＳＣ変調信号である。ディジタル・テレビジョン信号はＡＴＳＣ（次世代テレビジョン方式委員会）標準Ａ／５３に従う残留側波帯（Ｖｅｓｔｉｇｉａｌ　Ｓｉｄｅ　Ｂａｎｄ：ＶＳＢ）変調信号、例えば、高精細度テレビジョン（ＨＤＴＶ）信号、から成る。本文中で述べるシステムは、テレビジョン制御システム２０４を適宜変更することにより、欧州方式や日本方式のような他の方式で機能するように構成することができる。
【００１８】
チューナ・モジュール１０４は、マイクロプロセッサ１０８から発生される同調コマンドに従って、ディスプレイに表示される希望のチャンネルを選択する。マイクロプロセッサ１０８は、通信バス１１４を介してチューナ・モジュール１０４に結合される。この実施例で、通信バス１１４は、Ｉ２Ｃバス、３線バスなど、任意のタイプの通信バスでよい。マイクロプロセッサ１０８から発生される同調コマンドに加えて、マイクロプロセッサ１０８は、チューナ・モジュール１０４に使用するために、メモリ２０２からチューナ・パラメータ１１２を読み出す。これらのチューナ・パラメータ１１２は、通信バス１１４を通ってチューナ・モジュール１０４内部にある位相ロックループ１０６に転送される。
【００１９】
メモリ２０２は、不揮発性の書替え可能なメモリであって、これには、読出し専用メモリ（ＲＯＭ）またはプログラム可能な読出し専用メモリ（ＰＲＯＭ）も含まれるが、これだけに限定されない。ＰＲＯＭは更に、電気的にプログラム可能なＲＯＭ（ＥＰＲＯＭ）、電気的消去・プログラム可能なＲＯＭ（ＥＥＰＲＯＭ）、およびワン‐タイムＰＲＯＭ（Ｏｎｅ　Ｔｉｍｅ　ＰＲＯＭ：ＯＴＰＲＯＭ）に分けられる。メモリ２０２は、シャーシ２００内に据え付けられる前に、「大量」（ｂｕｌｋ）プログラミング技術を使用して複数の他のメモリと共に同時にプログラムされる。電子的にプログラム可能なメモリは、シャーシ製造の間、正確なチューナ制御情報でプログラムされる。制御データ１１２は、選択されたテレビジョン信号を受信するために、チューナのＰＬＬ（１０６）が正確な周波数を合成するために必要なディジタル情報を含む。
【００２０】
このようにして、チューナ・モジュール１０４は電子的に同調され、希望するテレビジョン・チャンネルに対し正確な周波数と最良の性能が得られる。チューナ・モジュール１０４には、チューナの制御に必要なすべてのデータが含まれ、チューナ・パラメータは、マイクロプロセッサから位相ロックループ１０６に転送され、チューナの制御を容易にする。チューナ・モジュール１０４は、シャーシ２００内にあって個別の構成要素であり、例えば、テレビジョン制御システム２０４（特に、マイクロプセッサ１０２）を変更せずに、現場でチューナ・モジュール１０４を交換できる。本発明を使用すると、チューナ・モジュール１０４は適合したメモリ２０２と共に変更でき、新しいチューナ１０４に適合するようにチューナ・パラメータ１１２の変更を容易に行うことができる。
【００２１】
本発明の教示を組み込んでいる種々の実施例を示して詳細に説明したが、当業者は、これらの教示を組み込んで他の様々な多数の実施例を容易に考案することができる。例えば、ここに開示した発明はＦＭラジオ放送の受信機にも使用できる。
【図面の簡単な説明】
【図１】
従来技術のテレビジョンのシャーシのブロック図の一部を示す。
【図２】
本発明によるテレビジョンのシャーシのブロック図の一部を示す。
【図１】
2004507911.tif 000003
【図２】
2004507911.tif 000004
【国際公開パンフレット】
2004507911.tif 000005
2004507911.tif 000006
2004507911.tif 000007
2004507911.tif 000008
2004507911.tif 000009
2004507911.tif 000010
2004507911.tif 000011
2004507911.tif 000012
2004507911.tif 000013
2004507911.tif 000014
2004507911.tif 000015
2004507911.tif 000016
2004507911.tif 000017
【国際公開パンフレット（コレクトバージョン）】
2004507911.tif 000018
2004507911.tif 000019
【国際調査報告】
2004507911.tif 000020
2004507911.tif 000021
2004507911.tif 000022